(57)【要約】【課題】楽な姿勢で着座ができ、かつコンパクトなトイレ装置を提供するものである。【解決手段】便器１の後端部上に横長に設けるトイレ機能内蔵のトイレ本体４と、トイレ本体に設け、便器上に位置する便座２と、トイレ本体に設け、便座およびトイレ本体を覆う開閉自在な便蓋３とを備え、トイレ本体４は便座２に着座した使用者の尻後部に直に対向する前面部６の中央に湾曲凹部８を形成したトイレ装置である。トイレ本体の前面部には便座に着座した使用者の尻が直に対向し、かつトイレ本体の湾曲凹部により、便座に着座した使用者の尻の後方にスペース的に余裕が生じ、楽な姿勢で着座が可能になる。【選択図】　図１
2004065544.tif 000002
【特許請求の範囲】
【請求項１】
便器の後端部上に横長に設けるトイレ機能内蔵のトイレ本体と、前記トイレ本体に設け、便器上に位置する便座と、前記トイレ本体に設け、前記便座または前記便座および前記トイレ本体を覆う開閉自在な便蓋とを備え、前記トイレ本体は前記便座に着座した使用者の尻後部と直に対向する前面部の中央に湾曲凹部を形成してなるトイレ装置。
【請求項２】
便器の後端部上に横長に設けるトイレ機能内蔵のトイレ本体と、前記トイレ本体に両側の腕部を回動自在に設け、便器上に位置する便座と、前記トイレ本体に設け、前記便座または前記便座および前記トイレ本体を覆う開閉自在な便蓋とを備え、前記トイレ本体は前記便座の腕部間に突出した前面部を有し、前記前面部の中央に着座した使用者の尻後部と直に対向する湾曲凹部を形成してなるトイレ装置。
【請求項３】
便器の後端部上に横長に設けるトイレ機能内蔵のトイレ本体と、前記トイレ本体に両側の腕部を回動自在に設け、便器上に位置する便座と、前記トイレ本体に設け、前記便座または前記便座および前記トイレ本体を覆う開閉自在な便蓋とを備え、前記便座の腕部は、前記便座の腕部間に位置する後端部と前記トイレ本体との間の隙間が、前記便座を前記便器上に位置させた状態の時には僅少で、直立させた時には大きくなるように形成してなるトイレ装置。
【請求項４】
便器の後端部上に横長に設けるトイレ機能内蔵のトイレ本体と、前記トイレ本体に両側の腕部を回動自在に設け、便器上に位置する便座と、前記トイレ本体に設け、前記便座または前記便座および前記トイレ本体を覆う開閉自在な便蓋とを備え、前記便座の腕部は、便座を直立させた時にトイレ本体の外面と前記腕部間に位置する後端部との間に作業用の隙間を形成する長さに設定してなるトイレ装置。
【請求項５】
便器の後端部上に横長に設けるトイレ機能内蔵のトイレ本体と、前記トイレ本体に両側の腕部を回動自在に設け、便器上に位置する便座と、前記トイレ本体に設け、前記便座または前記便座および前記トイレ本体を覆う開閉自在な便蓋とを備え、前記トイレ本体は前記便座の腕部間に突出した前面部を有し、前記前面部の中央に着座した使用者の尻後部と直に対向する湾曲凹部を形成し、前記便座の腕部は便座を直立させた時に、トイレ本体の外面と前記腕部間に位置する後端部との間に、作業用の隙間を形成する長さに設定してなるトイレ装置。
【請求項６】
便座の後端部にはトイレ本体の湾曲凹部に沿って延出した湾曲凸部を設けてなる請求項１または請求項２または請求項５のいずれかに記載のトイレ装置。
【請求項７】
請求項１〜６のいずれかに記載のトイレ装置であって、トイレ本体を便器の後端部上に横長に設けてなるトイレ装置。
【発明の詳細な説明】
【０００１】
【発明の属する技術分野】
本発明は、便座およびその便蓋を備え、人体局部を洗浄するトイレ機能を有するトイレ本体を便器の後端部上に設けて使用するトイレ装置に関する。
【０００２】
【従来の技術】
この種従来のトイレ装置は、図６、図７に示すように便器６１上に設けた便座６２、その便蓋６３、そして便座６２と便蓋６３の後端部を軸で支持して開閉自在に取り付け、便器６１の後端部上に設置したトイレ本体６４を備えている。そして、トイレ本体６４は両側を前に突出させた両側部６５を有する上面から見て略凹状に形成し、両側部６５の内側面において下に便座６２、上に便蓋６３をそれぞれ取付けている。
【０００３】
トイレ本体６４は両側部６５間に位置し、相対的に後退した前面部６６を、その幅全体がやや後方へ上向きに傾斜した直線の傾斜面に形成し、図６に示すように開いて直立させた便蓋６３の背面を、前面部６６の一部に設けたストッパー（図示せず）等で支えられるようにしている。６７はトイレ本体６４の両側部６５の内側面に、回転自在に便座６２を取付けるため便座６２の後端部に、両側部６５間の幅いっぱいに形成した短い（高さの低い）腕部で、図６に示すように後方へやや傾斜させ、一部に円弧面を形成している。
【０００４】
上記構成のトイレ装置において、使用者は便蓋６３を開いて便座６２に着座して使用するものである。そして、このように着座した使用者の尻の後方には、その後方に直立した便蓋６３と、後方へやや傾斜し便座６２の後端部でちょっと立ち上がった便座６２の腕部６７と、さらには便蓋６３、腕部６７の後にあるトイレ本体６４の前面部６６とが二重に存在するため、スペース的に余裕がない。
【０００５】
従って、便座６２に着座した使用者の尻の後部が直ぐに当たるなどして、使用者は浅い着座になり気味であり、着座心地が悪くなり、かつ着座の姿勢も悪くなる気味であった。もちろん、便座６２を前後方向へ大きくすれば、前記した問題は解決できるが、便座６２が大きくなりトイレ装置の全体も大きくなり、一般的に狭いトイレ室に設置するものとして好ましくなくなる。
【０００６】
また、便蓋６３はトイレ本体６４の両側部６５に軸支されてトイレ本体６４の前面部６６との間には、前記前面部の傾斜により急傾斜の窪み６８が生じている。そして、便蓋６３は開けて直立させた時に、便蓋６３の後端部がトイレ本体６４の前面部６６のストッパーに支えられるので、前面部６６の清掃は図に示すように便蓋６３を閉じた状態でトイレ本体６４の急傾斜の窪み６８を含む前面部６６の上部分を行い、また便蓋６３を開けて直立させ、さらに便座６２も便蓋６３と同じように直立させた状態にしてから、手前側になるトイレ本体６４の前面部６６の下部分を行うものである。
【０００７】
従って、大変に煩雑で手間がかかるとともに、構造上から行き届いた清掃等の作業の困難なものである。
【０００８】
【発明が解決しようとする課題】
上記従来の技術の問題点に鑑み、本発明が解決しようとする課題は、楽な姿勢で着座ができ、かつコンパクトなトイレ装置と、または容易に種々の作業が可能なトイレ装置を提供することにある。
【０００９】
【課題を解決するための手段】
上記従来の技術の問題点を解決するために本発明のトイレ装置は、便座に着座した使用者の尻後部に直に対向するトイレ本体の前面部の中央に湾曲凹部を形成したもので、便座に着座した使用者の尻の後方にスペース的に余裕が生じ、楽な姿勢で着座ができるものである。
【００１０】
また本発明のトイレ装置は、便座を直立させた時に、便座の腕部はトイレ本体の外面と前記腕部間に位置する便座の後端部との間に、作業用の隙間を形成する長さに設定したもので、隙間を通じてトイレ本体の手前側からでも容易に種々の作業が可能になるものである。
【００１１】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１２】
請求項１記載に係る発明は、便器の後端部上に横長に設けるトイレ機能内蔵のトイレ本体と、前記トイレ本体に設け、便器上に位置する便座と、トイレ本体に設け、便座または便座およびトイレ本体を覆う開閉自在な便蓋とを備え、トイレ本体は便座に着座した使用者の尻後部と直に対向する前面部の中央に湾曲凹部を形成したトイレ装置で、トイレ本体の前面部には便座に着座した使用者の尻が直に対向し、かつトイレ本体の湾曲凹部により、便座に着座した使用者の尻の後方にスペース的に余裕が生じ、楽な姿勢で着座が可能になる。
【００１３】
請求項２記載に係る発明は、便器の後端部上に横長に設けるトイレ機能内蔵のトイレ本体と、トイレ本体に両側の腕部を回動自在に設け、便器上に位置する便座と、トイレ本体に設け、便座または便座およびトイレ本体を覆う開閉自在な便蓋とを備え、トイレ本体は便座の腕部間に突出した前面部を有し、前面部の中央に着座した使用者の尻後部と直に対向する湾曲凹部を形成したトイレ装置である。
【００１４】
上記実施の形態において、トイレ本体は便座の両側の腕部を支持するため前記腕部の間に位置するトイレ本体の前面部を、トイレ本体の両側端部との間において相対的に突出させたが、前面部の中央にある湾曲凹部と、便座に着座した使用者の尻がトイレ本体の前面部に直に対向することにより、便座に着座した使用者の尻の後方にスペース的に余裕が生じ、前面部が突出していても楽な姿勢で着座が可能になる。また、トイレ本体はその突出した前面部内をスペースとして有効に活用することも可能になる。
【００１５】
請求項３記載に係る発明は、便器の後端部上に横長に設けるトイレ機能内蔵のトイレ本体と、トイレ本体に両側の腕部を回動自在に設け、便器上に位置する便座と、トイレ本体に設け、便座または便座およびトイレ本体を覆う開閉自在な便蓋とを備え、便座の腕部は、便座の腕部間に位置する便座の後端部とトイレ本体との間の隙間が、便座を便器上に位置させた状態の時には僅少で、直立させた時には大きくなるように形成したトイレ装置である。
【００１６】
上記実施の形態において、便器上に載っている通常の便座の位置では、便座の腕部間に位置する後端部とトイレ本体の隙間が僅少で使用者の衣服等が挟まれることがないけれど、便座を直立させると便座の腕部間の後端部とトイレ本体の外面との隙間が大きくなり、この大きな隙間を通じてトイレ本体の手前側からでも例えば清掃等の作業を容易にできることになる。
【００１７】
請求項４記載に係る発明は、便器の後端部上に横長に設けるトイレ機能内蔵のトイレ本体と、トイレ本体に両側の腕部を回動自在に設け、便器上に位置する便座と、トイレ本体に設け、便座または便座および前記トイレ本体を覆う開閉自在な便蓋とを備え、便座の腕部は便座を直立させた時に、トイレ本体の外面と腕部間に位置する便座の後端部との間に、作業用の隙間を形成する長さに設定したトイレ装置である。
【００１８】
上記実施の形態において、便座を直立させるだけでトイレ本体の外面との間に隙間ができることになり、この隙間を通じてトイレ本体の手前側からでも清掃または便座カバーの着脱等の作業が容易に可能になる。
【００１９】
請求項５記載に係る発明は、便器の後端部上に横長に設けるトイレ機能内蔵のトイレ本体と、トイレ本体に両側の腕部を回動自在に設け、便器上に位置する便座と、トイレ本体に設け、便座または便座およびトイレ本体を覆う開閉自在な便蓋とを備え、トイレ本体は便座の腕部間に突出した前面部を有し、前面部の中央に着座した使用者の尻後部と直に対向する湾曲凹部を形成し、前記便座の腕部は便座を直立させた時に、トイレ本体の上面と前記腕部間に位置する便座の後端部との間に、作業用の隙間を形成する長さに設定してなるトイレ装置である。
【００２０】
上記実施の形態において、トイレ本体は便座の両側の腕部を支持するため前記腕部の間に位置するトイレ本体の前面部を、トイレ本体の両側端部との間において相対的に突出させたが、前面部の中央にある湾曲凹部と、便座に着座した使用者の尻がトイレ本体の前面部に直に対向することにより、便座に着座した使用者の尻の後方にスペース的に余裕が生じ、前面部が突出していても楽な姿勢で着座が可能になる。そして、トイレ本体はその突出した前面部内をスペースとして有効に活用することも可能になる。
【００２１】
さらに、便座は直立させるだけでトイレ本体の外面との間に隙間ができることになり、この隙間を通じてトイレ本体の手前側からでも容易に清掃等が可能になるとともに、トイレ本体の前面部の中央にある湾曲凹部に対向する前記隙間の部分は隙間がより大きくなり、一層清掃等が容易になる。
【００２２】
請求項６記載に係る発明は、請求項１または請求項２または請求項５のいずれかの記載において、便座の後端部にはトイレ本体の湾曲凹部に沿って延出した湾曲凸部を設けたトイレ装置で、トイレ本体の湾曲凹部によりトイレ本体の前面部と便座の後端部の間に生じるスペースは便座の湾曲凸部により覆われ、便座への着座心地が良くなる。
【００２３】
請求項７記載に係る発明は、請求項１〜６のいずれかに記載のトイレ装置であって、トイレ本体を便器の後端部上に横長に設けてなるトイレ装置で、楽な姿勢で着座が可能になり、また清掃等が容易になる。
【００２４】
以下本発明のトイレ装置における一実施の形態につき、図面に従い説明する。
【００２５】
（実施の形態１）
図１は、本発明のトイレ装置の便蓋を開いた状態を示す斜視図で、図２はトイレ装置の便座部分の拡大斜視図で、図３はトイレ装置の便蓋を閉じた状態を示す概略の側面図で、図４はトイレ装置の便座を持ち上げた時の正面図で、図５はトイレ装置の便座を持ち上げ回転させた時の要部の拡大斜視図である。
【００２６】
トイレ装置は、便器１上に載せた便座２と、便蓋３と、そして便座２と便蓋３の後端部を支持して開閉自在に取付け、便器１の後端部上に設置した横長のトイレ本体４を備えている。トイレ本体４は、用便後の人体局部を温水で洗浄する肛門用、ビデ用の洗浄ノズル、洗浄後の人体局部を乾燥させる装置、臭気を脱臭する装置等（いずれも図示せず）のトイレ機能を内蔵している。
【００２７】
便蓋３は便座２とトイレ本体４の上面および外周側面を覆う上面が僅かに円弧面を成した略平らな一枚ものの大きさに設定され、常には便座２だけでなくトイレ本体４にも埃がかからないようにして、略平らな一枚ものの便蓋３を拭くだけで通常の掃除が簡単に済ませられるように構成している。
【００２８】
便座２は、その両側端部より突出させた一対の腕部５を有する。そして、便座２の腕部５は、掃除等のため図４、図５に示すように便座２の前を持ち上げ回転させ便器１に対し直立させた時に、トイレ本体４の外面である前面部６と腕部５間に位置する便座２の後端部２ａの間に、手指の入る程度の掃除または便座カバーを取付ける等の作業用の隙間７を形成できる長さに設定してある。隙間７は１０ｍｍ以上で、好ましくは１５ｍｍ以上がよい。
【００２９】
トイレ本体４は、その両側端部との間で相対的に突出させ、便座２の腕部５の間に位置する前面部６を有し、この前面部６の側面に便座２の腕部５を回転自在に支持している。またトイレ本体４は、便座２の腕部５間に突出した前面部６に、便座２に着座した使用者の尻後部と、障害物をなくして直に対向する前面部６の中央に湾曲凹部８を形成し、便座２に着座した使用者の尻の後方にスペース的に余裕が生じ、前面部６が突出していても楽な姿勢で着座が可能になるように構成している。
【００３０】
９は便座２の後端部に一体に設け、トイレ本体４の前面部６の中央に位置する湾曲凹部８に沿って延出した湾曲凸部で、前面部６の湾曲凹部８により便座２の後端部２ａとの間に生じるスペースをカバーして、使用者の便座２への着座性を良くしている。
【００３１】
上記実施の形態において、図１に示すように使用者は便蓋３を開いて便座２に着座して使用するものである。そして、このように着座した使用者の尻の後方には、使用者の尻と直に対向するのはトイレ本体４の前面部６のみになり、スペース的に余裕が生じる。
【００３２】
すなわち、本実施の形態では、トイレ本体４の前面部６には便座に着座した使用者の尻が直に対向して何も障害物がなく、かつトイレ本体４の前面部６の中央に形成した湾曲凹部８により後方へ下がっているので、便座２に着座した使用者の尻の後方にスペース的に余裕が生じ、楽な姿勢で着座ができる。
【００３３】
特に、トイレ本体４は便座２の両側の腕部５を支持するため前記腕部５の間に位置するトイレ本体４の前面部６を、トイレ本体４の両側端部との間おいて相対的に突出させたが、前面部６の中央にある湾曲凹部８と、便座に着座した使用者の尻がトイレ本体の前面部６に直に対向して障害物がないことにより、便座２に着座した使用者の尻の後方にスペース的に余裕が生じ、前面部６が突出していても楽な姿勢で着座ができる。そして、トイレ本体４はその突出した前面部６内を、トイレ機能内蔵のスペースとして有効に活用することもできる。
【００３４】
また、便座２の後端部にはトイレ本体４の湾曲凹部８に沿って延出した湾曲凸部９を設けているので、トイレ本体４の前面部６の湾曲凹部８によりトイレ本体４の前面部６と便座２の後端部２ａとの間に生じるスペースは便座２の湾曲凸部により覆われ、使用者の便座２への着座心地を良くできる。
【００３５】
さらに、便器１上に載っている通常の便座２の位置では、便座２の腕部５間に位置する後端部２ａとトイレ本体４の外面との隙間７が僅少で、使用者の衣服等が挟まれることがないけれど、便座２を直立させると隙間７が大きくなり、この大きな隙間７を通じてトイレ本体４の手前側からでも作業ができるように便座２の腕部５を設定しているので、便座２の手前を持って持ち上げ回転させ、図４、図５に示すように直立させるだけで、トイレ本体４の外面である前面部６との間に作業用の隙間７ができ、トイレ本体４の下部である前面部６の下の部分はもちろん、隙間７に手指を入れ雑巾でトイレ本体４における前面部６の上の部分もトイレ本体４の手前側から容易に作業である掃除ができる。そして、トイレ本体４の前面部６の中央にある湾曲凹部８に対向する湾曲凸部９の部分は、隙間７がより大きくなり、掃除を一層容易にできる。
【００３６】
また、この隙間７は便座２に便座カバー（図示せず）を取付ける際に利用することもできる。すなわち、便座２を直立させて便座カバーを被せ、隙間７を介して便座カバーのバンドを取付けられ、便座カバーの取付け作業がし易くなる。
【００３７】
特に、トイレ本体４および便座２を覆う便蓋３を備えたトイレ装置にあっては、図３に示すように不使用時には閉じている便蓋３によりトイレ本体４および便座２がカバーされているので、常日頃は埃のかかる便蓋３のみを掃除することで済ませられ、長期使用の経過で便座２およびトイレ本体４が汚れた時に、図４のように便座２を持ち上げ回転させてトイレ本体４および便座２を入念に掃除すれば良くなり、前記両方の掃除の形態を使い分けることで合理的に清掃を行うこともできる。
【００３８】
なお、本実施の形態ではトイレ本体の湾曲凹部によりトイレ本体の前面部と便座の後端部の間に生じるスペースを覆う湾曲凸部を便座に設けたが、反対にトイレ本体の湾曲凹部の下端部に前記湾曲凸部を設けても、本実施の形態と同じ作用効果を期待できる。
【００３９】
また、本実施の形態では、便座からトイレ本体まで覆う大きさの便蓋を備えたトイレ装置に本発明を実施したが、便座だけを覆う大きさの便蓋を備えたトイレ装置に適用しても本実施の形態と同様の効果を期待できる。
【００４０】
さらに、本実施の形態では、便座２の腕部５の間に突出させた前面部６を有するトイレ本体４において、前面部６の左右の側面に便座２の腕部５を回転自在に取付けた形態のトイレ装置に、本発明を実施したが、図６に示す上面から見て略凹状に形成したトイレ本体における左右の両側部６５の内側面に便座６２を取付けた形態のトイレ装置に適用しても本実施の形態と同様の効果を期待できる。
【００４１】
さらに、本実施の形態では、便座２を直立させた際に便座２の腕部５により、便座２の腕部５間の後端部２ａとトイレ本体４における前面部６の外面の間に生じさせた隙間７を、便座２、トイレ本体４の掃除および便座２への便座カバーの取付ける際に使用する形態を説明したが、この形態に限らず他の利用形態であっても便座２を直立させて生じさせた隙間７を利用する限りにおいては、本発明の思想を逸脱するものではない。
【００４２】
【発明の効果】
以上のように本発明は、トイレ本体の前面部中央に設けた湾曲凹部により、楽な姿勢で着座できるトイレ装置を提供できる。また、本発明は直立させた便座の後端部とトイレ本体の外面の間に生じる作業用の隙間により、清掃等を容易にできる。
【図面の簡単な説明】
【図１】本発明の実施の形態１におけるトイレ装置の便蓋を開いた状態を示す斜視図
【図２】同実施の形態１におけるトイレ装置の便座部分の拡大斜視図
【図３】同実施の形態１におけるトイレ装置の便蓋を閉じた状態を示す概略の側面図
【図４】同実施の形態１におけるトイレ装置の便座を持ち上げた時の正面図
【図５】同実施の形態１におけるトイレ装置の便座を持ち上げた時の要部の拡大斜視図
【図６】従来例のトイレ装置の便蓋を開いた状態を示す斜視図
【図７】同トイレ装置の便蓋を閉じた状態を示す上面図
【符号の説明】
１　便器
２　便座
２ａ　後端部
３　便蓋
４　トイレ本体
５　腕部
６　前面部
７　作業用の隙間
８　湾曲凹部
９　湾曲凸部
【図１】
2004065544.tif 000003
【図２】
2004065544.tif 000004
【図３】
2004065544.tif 000005
【図４】
2004065544.tif 000006
【図５】
2004065544.tif 000007
【図６】
2004065544.tif 000008
【図７】
2004065544.tif 000009